(57)【特許請求の範囲】
【請求項１】
ユーザインタフェースを有するパーソナルモバイル装置によって実行される方法であって、前記方法は、
発呼装置との暗号化オーディオセッションの確立を要求するセッション要求メッセージを受信することと、
前記セッション要求メッセージの受信することに呼応して、ユーザインタフェースを通じて、前記パーソナルモバイル装置のアクセサリであることに関するアクセサリ状態問合せを備える１つ以上の呼応答問合せを提示することと、
前記ユーザインタフェースを通じて、前記提示されたアクセサリ状態問合せに関連づけられた前記アクセサリに関するアクセサリ準備未完通知を受信することと、
前記アクセサリ準備未完通知を受信することに呼応して、前記発呼装置に対して、セッション要求メッセージに関連づけられた要求肯定応答メッセージを送信することと、
前記アクセサリに関するアクセサリ準備完了判定を行い、前記暗号化オーディオセッションはその後に確立されることと、
前記暗号化オーディオセッションの間に、前記アクセサリから暗号化オーディオデータを受信し、前記暗号化オーディオデータを前記発呼装置に送信することと
を備える方法。
【請求項２】
前記アクセサリ準備完了判定を行うことは、前記ユーザインタフェースを通じて、前記アクセサリに関するアクセサリ準備完了通知を受信することを備える請求項１に記載の方法。
【請求項３】
前記アクセサリ準備完了判定を行うことは、前記アクセサリと前記パーソナルモバイル装置との通信リンクが確立されたことを判定することを備える請求項１に記載の方法。
【請求項４】
前記アクセサリ準備完了判定を行うことは、前記確立された通信リンクを通じて、前記アクセサリに関するアクセサリ準備完了通知を受信することを更に備える請求項３に記載の方法。
【請求項５】
前記アクセサリ準備完了判定を行うことは、前記アクセサリのアクセサリユーザインタフェースを通じて、前記アクセサリに関するアクセサリ準備完了通知を受信することを備える請求項１に記載の方法。
【請求項６】
前記アクセサリユーザインタフェースは、タッチディスプレイを備え、前記アクセサリユーザインタフェースを通じて前記アクセサリ準備完了通知を受信することは、前記アクセサリユーザインタフェースの前記タッチディスプレイを通じて前記アクセサリ準備完了通知を受信することを備える請求項５に記載の方法。
【請求項７】
前記アクセサリユーザインタフェースは、プッシュボタンを備え、前記アクセサリユーザインタフェースを通じて前記アクセサリ準備完了通知を受信することは、前記アクセサリユーザインタフェースの前記プッシュボタンを通じて前記アクセサリ準備完了通知を受信することを備える請求項５に記載の方法。
【請求項８】
前記１つ以上の提示された呼応答問合せは、呼受諾問合せを更に備え、前記方法は、
前記ユーザインタフェースを通じて、前記提示された呼受諾問合せに関連づけられた呼受諾通知を受信すること、及び
前記呼受諾通知を受信することに更に呼応して前記暗号化オーディオセッションを確立することとを更に備える請求項１〜７のいずれか１項に記載の方法。
【請求項９】
前記アクセサリ準備完了判定を行うことに呼応して、前記暗号化オーディオセッションを確立することを更に含む請求項１に記載の方法。
【請求項１０】
発呼装置との暗号化オーディオセッションを確立するセッション要求メッセージを受信するように構成された通信インタフェースと、
前記通信インタフェースが前記セッション要求メッセージを受信するのに呼応して、前記パーソナルモバイル装置のアクセサリであることに関するアクセサリ状態問合せを備える１つ以上の呼応答問合せを提示し、
前記提示されたアクセサリ状態問合せに関連づけられたアクセサリに関するアクセサリ準備未完通知を受信する
ように構成されたユーザインタフェースであって、
前記通信インタフェースが、前記ユーザインタフェースが前記アクセサリ準備未完通知を受信するのに呼応して、前記発呼装置に対して、前記セッション要求メッセージに関連づけられた要求肯定応答メッセージを提供するよう更に構成されたユーザインタフェースと
前記アクセサリに関するアクセサリ準備完了判定を行い、前記アクセサリに関する前記暗号化オーディオセッションがその後に確立され、前記通信インタフェースを通じて、前記暗号化オーディオセッションの間に前記アクセサリから暗号化オーディオデータを受信し、前記通信インタフェースを通じて、前記暗号化オーディオデータを前記発呼装置に送信するように構成されたプロセッサとを備えるパーソナルモバイル装置。
【請求項１１】
前記プロセッサは、前記ユーザインタフェースを通じて前記アクセサリに関するアクセサリ準備完了通知を受信することによって、少なくとも部分的に前記アクセサリ準備完了判定を行うように更に構成される請求項１０に記載のパーソナルモバイル装置。
【請求項１２】
前記プロセッサは、少なくとも部分的に、前記アクセサリと前記パーソナルモバイル装置との間の通信リンクが確立されたことを判定することによって、前記アクセサリ準備完了判定を行うように更に構成される請求項１０に記載のパーソナルモバイル装置。
【請求項１３】
前記プロセッサは、前記確立された通信リンクを通じて、前記アクセサリに関するアクセサリ準備完了通知を受信することによって、前記アクセサリ準備完了判定を行うように更に構成される請求項１２に記載のパーソナルモバイル装置。
【請求項１４】
前記アクセサリのアクセサリユーザインタフェースを通じて、前記アクセサリ準備完了通知を受信する請求項１３に記載のパーソナルモバイル装置。
【請求項１５】
前記アクセサリユーザインタフェースは、アクセサリ準備完了通知を判定するために用いられる、タッチディスプレイとプッシュボタンとから構成されるグループから選択される入力を備える請求項１４に記載のパーソナルモバイル装置。
【請求項１６】
前記プロセッサが、前記アクセサリ準備完了判定を行うことに呼応して、前記暗号化オーディオセッションを確立するよう更に構成される請求項１０に記載のパーソナルモバイル装置。
【発明の詳細な説明】
【背景技術】
【０００１】
［関連出願に対する相互参照］
[0001]
この出願は、「暗号化オーディオセッションを確立する方法及びシステム（METHODS AND SYSTEMS FOR ESTABLISHING AN ENCRYPTED-AUDIO SESSION）」と題して、２０１５年５月２９日に出願された、米国特許出願第１４／７２６，１０２号に対する優先権を主張する。
【０００２】
[0002]
人々は、無線を使って外出先で通信する。これを可能にする装置の中には、時としてパーソナルモバイル装置と称される装置がある。パーソナルモバイル装置の例は、数ある中でも、携帯電話、スマートフォン、ウォーキートーキー、及びポータブルホットスポットを含む。パーソナルモバイル装置は、例としては、（ウォーキートーキーの場合のような）ハンドヘルド、身体装着型、又は、車両（例えば自動車の屋根など）への取付け型にすることもあり得る。
【０００３】
[0003]
無線信号は比例的容易に傍受され得るので、パーソナルモバイル装置との（又はパーソナルモバイル装置間の）通信は、多くの場合、第三者による通信の傍受を防ぐために暗号化される。暗号化は、可聴音声又は他のデータを理解できない音声に変換するプロセスであり、その一方で復号化は、理解できない音声を元の可聴音声へ戻すように変換するプロセスである。暗号化及び復号化に用いられるそれぞれのアルゴリズムは、多くの場合、暗号（cipher）として総称される。通常の暗号の例は、高度暗号化規格（ＡＥＳ：Advanced Encryption Standard）、ブローフィッシュ（Blowfish）、トリプルＤＥＳ（３ＤＥＳ：Triple Data Encryption Algorithm）、及びＲＣ４を含め、数多くある。
【０００４】
[0004]
所与の暗号は、典型的には、暗号化及び復号化のために１つ以上の暗号鍵を用いる。暗号鍵の一般的な例は、パスワードと、電子証明書と、ランダムの及び／又は偽似乱数のデータとを含む。所与の平文を暗号化するために用いられる暗号鍵に対するアクセスが可能な（第三者を含む）いかなる当事者も、理解できない音声を復号化することができるかもしれず、そのため、暗号鍵は、暗号化を効率的にするためには、送信者及び受信者に対してのみ知らせるべきである。暗号化及び復号化は、パーソナルモバイル装置の外部にあるセキュアエレメントにおいて行われてもよい。
【発明の概要】
【発明が解決しようとする課題】
【０００５】
[0005]
本明細書に開示されるのは、暗号化オーディオセッション（encrypted-audio session）を確立するためのシステム及び方法である。
【課題を解決するための手段】
【０００６】
少なくとも１つの実施形態は、ユーザインタフェースを有するパーソナルモバイル装置によって実行される方法の形態をとる。パーソナルモバイル装置は、発呼装置（call-initiating device）との暗号化オーディオセッションの確立を要求するセッション要求メッセージを受信し、ユーザインタフェースを通じて１つ以上の着呼応答照会（call-response inquiries）を応答的に提示し、続いて、ユーザインタフェースを通じてアクセサリ準備未完通知（accessory-unready indication）を受信する。１つ以上の呼応答問合せは、パーソナルモバイル装置のアクセサリであることに関するアクセサリ状態問合せ（accessory-status inquiry）を含み、アクセサリ準備未完通知は、提示されたアクセサリ状態問合せに関連づけられる。アクセサリ準備未完通知を受信することに呼応して、パーソナルモバイル装置は、発呼装置に対して、セッション要求メッセージに関連づけられた要求肯定応答メッセージ（request-acknowledgment message）を送信する。要求肯定応答メッセージの送信に続いて、但し暗号化オーディオセッションを確立する前に、パーソナルモバイル装置は、アクセサリ準備完了判定（accessory-ready determination）を行う。アクセサリ準備完了判定を行うことに呼応して、パーソナルモバイル装置は、暗号化オーディオセッションを確立する。前記暗号化オーディオセッションの間に、前記アクセサリから暗号化オーディオデータを受信し、前記暗号化オーディオデータを前記発呼装置に送信する。
【０００７】
[0006]
少なくとも１つの実施形態は、通信インタフェースと、ユーザインタフェースと、プロセッサと、少なくとも前段落において述べられた機能をパーソナルモバイル装置に実行させるプロセッサによって実行可能な命令を収容するデータストレージとを含むパーソナルモバイル装置の形態をとる。更に、次の段落及びこの開示の他の段落において述べられるあらゆる変形及び置換は、あらゆる方法の実施形態及びあらゆるシステムの実施形態を含む、あらゆる実施形態に対して、実装されることができる。
【０００８】
[0007]
少なくとも１つの実施形態において、アクセサリ準備完了判定を行うことは、ユーザインタフェースを通じてアクセサリ準備完了表示（accessory-ready indication）を受信することを含む。
【０００９】
[0008]
少なくとも１つの実施形態において、アクセサリ準備完了判定を行うことは、アクセサリとの通信リンクが確立されたことを判定することを含む。少なくとも１つの当該実施形態において、アクセサリ準備完了判定を行うことは、確立された通信リンクを通じてアクセサリ準備完了表示を受信することを更に含む。
【００１０】
[0009]
少なくとも１つの実施形態において、アクセサリ準備完了判定を行うことは、アクセサリユーザインタフェースを通じてアクセサリ準備完了表示を受信することを含む。
【００１１】
[0010]
少なくとも１つの当該実施形態において、アクセサリユーザインタフェースは、タッチディスプレイを含み、アクセサリユーザインタフェースを通じてアクセサリ準備完了表示を受信することは、アクセサリユーザインタフェースのタッチディスプレイを通じてアクセサリ準備完了表示を受信することを含む。
【００１２】
[0011]
少なくとも１つの他の当該実施形態において、アクセサリユーザインタフェースは、プッシュボタンを含み、アクセサリユーザインタフェースを通じてアクセサリ準備完了表示を受信することは、アクセサリユーザインタフェースのプッシュボタンを通じてアクセサリ準備完了表示を受信することを含む。
【００１３】
[0012]
少なくとも１つの実施形態において、１つ以上の提示された呼応答問合せは、呼受諾問合せ（call-accept inquiry）を更に含む。パーソナルモバイル装置は、ユーザインタフェースを通じて呼受諾表示（call-accept indication）を受信する。呼受諾表示は、提示された呼受諾問合せに関連づけられる。受諾表示を受信することに呼応して、パーソナルモバイル装置は、暗号化オーディオセッションを確立する。
【００１４】
[0013]
少なくとも１つの実施形態において、１つ以上の提示された呼応答問合せは、呼拒否問合せ（call-reject inquiry）を更に含む。パーソナルモバイル装置は、ユーザインタフェースを通じて呼拒否表示（call-reject indication）を受信する。呼拒否表示は、提示された呼拒否問合せに関連づけられる。呼拒否表示を受信することに呼応して、パーソナルモバイル装置は、発呼装置に対して要求拒否メッセージ（request-rejection message）を送信する。要求拒否メッセージは、セッション要求に関連づけられる。
【００１５】
[0014]
少なくとも１つの当該実施形態において、要求拒否メッセージは、要求拒否理由表示（request-rejection-reason indication）を含む。少なくとも１つの当該実施形態において、要求拒否理由表示は、被呼者が安全でない場所にいるという表示を含む。少なくとも１つの他の当該実施形態において、要求拒否理由表示は、被呼者のアクセサリが要求された暗号化オーディオセッションに対して利用不可能であるという表示を含む。
【００１６】
[0015]
当業者が１つ以上の等価な構成要素、構造、装置、及び同種のものを用いる開示システム及び開示方法を適切に実施し、この開示の範囲及び精神から逸脱せずに、等価な但し異なる方法である機能を組合せても及び／又は分散してもよいため、上記の概要は、限定ではなく例として提供される。
【００１７】
[0016]
以下の詳細な説明とともに、独立した図の全体を通じて同等の又は機能的に類似する構成要素を同様の参照符号で参照する添付の図面は、明細書において援用され且つ明細書の一部を形成し、請求項に係る発明を含む概念の実施形態を更に図示する役割を果し、それらの実施形態の様々な原理及び効果について説明する。
【図面の簡単な説明】
【００１８】
[0017]-[0021]
【図１】少なくとも１つの実施形態による、通信システムを描写する。
【図２】少なくとも１つの実施形態による、パーソナルモバイル装置のブロック図を描写する。
【図３】少なくとも１つの実施形態による、パーソナルモバイル装置によって実行される方法のフローチャートを描写する。
【図４】呼応答問合せのユーザインタフェース提示を描写する。
【図５】少なくとも１つの実施形態による、アクセサリを描写する。
【発明を実施するための形態】
【００１９】
[0022]
本システム及び方法は、ここで、図面を参照しながら記載される。但し、描写された配置及び機能から多数の変形が、特許請求の範囲及び精神の範囲内に留まりながら可能である、ということを理解すべきである。例えば、１つ以上の構成要素が、追加され、除去され、組合され、分散され、再配置され、順序付けられ、及び／又は、さもなければ変更されてもよい。更に、この説明が、１つ以上の装置、１つ以上のマシン、及び／若しくは１つ以上のネットワーク上で、並びに／又は、１つ以上の装置、１つ以上のマシン、及び／若しくは１つ以上のネットワークによって、実施される１つ以上の機能を参照する場合、当該エンティティの１つ以上が、当該機能の１つ以上を単独で又は協同で実行することができることもあり得るし、ハードウェア、ファームウェア、及び／又はソフトウェアの任意の適切な組合せのアプリケーションによってそのようにしてもよい、ということを理解すべきである。例えば、機能の１つ以上を実行する少なくとも一部が本明細書に記載されるように、１つ以上のプロセッサが、１セット以上のプログラミング命令を実行してもよい。
【００２０】
[0023]
図１は、少なくとも１つの実施形態による、通信システムを描写する。図示するように、通信システム１００は、被呼者アクセサリ１０２と、パーソナルモバイル装置１０４と、データネットワーク１０６と、発呼装置１０８とを含む。当業者は、通信システム１００が様々な及び／又は付加的なエンティティを含むこともあり得る、ということを理解するであろう。
【００２１】
[0024]
当業者に知られているように、被呼者アクセサリ１０２は、ヘッドセット、ビデオカメラ、デジタルカメラ、キーボード、ディスプレイ画面、並びに／又は、ユーザの入力を取得することができる及び／若しくはユーザの出力を提供することができる他の装置の形態をとる（又は含む）こともあり得る。
【００２２】
[0025]
パーソナルモバイル装置１０４及び／又は発呼装置１０８は、（データネットワーク１０６のような）データネットワークを通じて通信するように装備され、プログラミングされ、又は構成された任意の適切なそれぞれの装置（若しくはそれぞれの装置の組合せ）であってもよい。当該装置は、当業者に知られているような他の可能な装置の中でも特に、携帯電話／スマートフォン、ラップトップコンピュータ、デスクトップコンピュータ、ポータブルメディアプレイヤ、スマートウォッチ、及び／又はタブレットコンピュータを含んでもよいが、但し限定はされない。
【００２３】
[0026]
いくつかの実施形態において、通信リンク１１０は、１つ以上の有線通信リンク（例えば、１つ以上のイーサネット（登録商標）接続、１つ以上のユニバーサルシリアルバス（ＵＳＢ：Universal Serial Bus）接続、及び／若しくはその他同種のもの）及び／又は１つ以上の無線通信リンク（例えば、１つ以上の無線ローカルエリアネットワーク（ＷＬＡＮ：wireless local area network）（例えばＷｉ−Ｆｉ））リンク、並びに／又は１つ以上のＢｌｕｅｔｏｏｔｈ（登録商標）リンクを含む。また、通信リンク１１０自身が１つ以上の半二重又は全二重無線通信リンクを含むことが可能である。更に、通信リンク１１０は、所与の状況に対して当業者によって適切であると認められた任意のタイプの１つ以上の通信ネットワークを含んでもよい。更に、多くの他の構成も同様に確実に可能である。
【００２４】
[0027]
いくつかの実施形態において、通信リンク１１２は、１つ以上の無線通信リンク（Ｗｉ−Ｆｉリンク）、１つ以上の無線ワイドエリアネットワーク（ＷＷＡＮ）（例えばロングタームエボリューション（ＬＴＥ；Long Term Evolution））リンク、及び／又はその他同種のものを含む。また、通信リンク１１２自身が、１つ以上の半二重又は全二重無線通信リンクを含むことが可能である。更に、通信リンク１１２は、所与の状況に対して関連する当業者によって適切であると認められた任意のタイプの１つ以上の通信ネットワークを含んでもよい。更に、多くの他の構成も同様に確実に可能である。
【００２５】
[0028]
発呼装置１０８は、本明細書に記載される発呼装置機能を実行するように構成された任意の適切な装置（又は装置の組合せ）であってもよい。図１に図示した実施形態において、発呼装置１０８は、通信リンク１２０を通じて通信的に接続される発呼パーソナルモバイル装置（call-initiating personal mobile device）１１８及び発呼アクセサリ（call-initiating accessory）１１６の形態をとる。アクセサリ１１６、装置１１８、及び通信リンク１２０は、例としてアクセサリ１０２、装置１０４、及び通信リンク１１０に対して（それぞれ）機能及び／又は構造において類似していてもよい。
【００２６】
[0029]
通信システム１００において、発呼装置１０８は、データネットワーク１０６を通じてパーソナルモバイル装置１０４との暗号化オーディオセッションをセットアップする。少なくとも１つの実施形態において、暗号化オーディオセッションが受諾された後、音声情報は、被呼者アクセサリ１０２の内部で暗号化され、暗号化データは、通信リンク１１２を通じてパーソナルモバイル装置１０４に対して送信される。パーソナルモバイル装置１０４は、この暗号化データを、通信リンク１１４を介してデータネットワーク１０６に対して送信する。そして、データネットワーク１０６は、通信リンク１１６を通じて発呼装置１０８に対して暗号化データを送信する。
【００２７】
[0030]
図２は、少なくとも１つの実施形態による、パーソナルモバイル装置のブロック図を描写する。図示するように、パーソナルモバイル装置１０４は、プロセッサ２０２と、データストレージ２０４と、通信インタフェース２０６と、ユーザインタフェース２０８とを含み、その各々は、システムバス２１０を通じて相互に接続される。当業者は、パーソナルモバイル装置１０４が、ここでリストアップされることもあり得る他の多くの可能な変形の中で、付加的で及び／又は様々な構成要素、及びもしかすると構成要素の異なる配置を有することがあるかもしれないこと、及び発呼装置１０８がパーソナルモバイル装置１０４の形態と同様の形態をとることもあり得る、ことを理解するであろう。
【００２８】
[0031]
プロセッサ２０２は、いくつかの例ではマイクロプロセッサ及び専用のデジタル信号プロセッサ（ＤＳＰ：digital signal processor）を含む、当業者によって適切であると認められた任意のタイプの１つ以上のプロセッサを含んでもよい。
【００２９】
[0032]
データストレージ２０４は、当業者によって適切であると認められた任意の１つ以上のタイプの非一時的データストレージ技術を用いることもあり得るので、フラッシュメモリ、読取り専用メモリ（ＲＯＭ）、及びランダムアクセスメモリ（ＲＡＭ）を含むいくつかの例を挙げるに過ぎないが、任意の非一時的なコンピュータ読取り可能メディア又は当該メディアの組合せの形態をとってもよい。図２に描写するように、データストレージ２０４は（１つ以上の暗号鍵などの）様々な及び／又は付加的なデータを収容してもよいが、データストレージ２０４は、様々な機能を実行するプロセッサ２０２によって実行可能なプログラム命令２１２を収容する。
【００３０】
[0033]
（図３を参照して記載されるプロセス及び機能などの）１つ以上のプロセス及び／又は機能を実行するようにパーソナルモバイル装置１０４が構成される実施形態において、プログラム命令２１２は、それらの機能を実行するためのプロセッサ２０２によって実行可能である。本明細書に記載される他のエンティティが少なくとも図２に関連して記載されるパーソナルモバイル装置１０４の例と同様の構造を有する実例において、他のエンティティのそれぞれの装置のそれぞれのデータストレージ２０４によって格納されたそれぞれのプログラム命令２１２は、それらの装置によって行われる機能を実行するそれぞれのプロセッサ２０２によって実行可能である。
【００３１】
[0034]
通信インタフェース２０６は、(i)上記の１つ以上の無線通信タイプ及び／若しくは無線通信プロトコル、及び／又は所与の実装のために若しくは所与の状況において当業者によって適切であると認められた１つ以上の他のタイプ及び／若しくはプロトコル、と通信する１つ以上の無線通信インタフェース、並びに／又は、(ii)イーサネット（登録商標）、ＵＳＢ、及び同種のものなどの１つ以上のタイプ及び／若しくはプロトコル、及び／又は、所与の実装のために若しくは所与の状況において当業者によって適切であると認められた１つ以上の他のタイプ及び／若しくはプロトコル、に従って通信するための１つ以上の有線通信インタフェースを含んでもよい。そのため、通信インタフェース２０６は、１つ以上の他のエンティティとの通信の１つ以上の形態を遂行するための任意の必要なハードウェア（例えば、チップセット、アンテナ、イーサネット（登録商標）カード、など）と、任意の必要なファームウェアと、任意の必要なソフトウェアとを含んでもよい。
【００３２】
[0035]
ユーザインタフェース２０８は、静電容量式タッチディスプレイ、感圧式タッチディスプレイ、又は他のタッチセンサ式ディスプレイなどのタッチスクリーンを含むこともあり得る。いくつかの実施形態において、ユーザインタフェースは、１つ以上の物理的キー、タッチキー、文字キー、及び／又は特定のコマンドキーを順々に含むこともあり得るキーボードを含む。ユーザインタフェースマイクロフォンは、コンデンサマイクロフォン、ダイナミックマイクロフォン、リボンマイクロフォン、炭素マイクロフォン、圧電マイクロフォン、光ファイバーマイクロフォン、レーザマイクロフォン、液体マイクロフォン、ＭＥＭＳマイクロフォン、及び／又は他のタイプのマイクロフォンの形態をとる（又は含む）こともあり得る。別の可能性として、ユーザインタフェース２０８は、１つ以上のボタン又はスイッチを含んでもよい。当業者は、ユーザインタフェース２０８が、これら及び／又は他のユーザインタフェース構成要素の任意の組合せも含むこともあり得る、ということを理解するであろう。
【００３３】
[0036]
図３は、少なくとも１つの実施形態による、パーソナルモバイル装置によって実行される方法のフローチャートを描写する。図示するように、方法３００は、発呼装置１０８との暗号化オーディオセッションを確立するためにセッション要求メッセージを受信するパーソナルモバイル装置１０４によって、ステップ３０２にて始まる。
【００３４】
[0037]
パーソナルモバイル装置１０４は、発呼装置１０８から、インターネットプロトコルＰＢＸ（ＩＰ−ＰＢＸ）から、構内交換（ＰＢＸ）から、（例えば発呼装置１０８のための）第三者の呼制御を行うエンティティ及び／又は他の適切なエンティティから、セッション要求メッセージを受信してもよい。データネットワーク１０６を通じてセッション要求メッセージを受信することもあり得る。
【００３５】
[0038]
セッション要求メッセージは、当業者にとって明らかになる他の多くの可能性の中でも特に、発呼メッセージ、セッション設定プロトコル（ＳＩＰ：Session Initiation Protocol）メッセージ、リアルタイムトランスポートプロトコル（ＲＴＰ：Real-time Transport Protocol）メッセージ、セキュアＲＴＰ（ＳＲＴＰ）メッセージ、ＺＲＴＰメッセージ、Ｈ．３２３メッセージ、ＩＡＸ（Inter-Asterisk eXchange）メッセージ、及び／又はＩＡＸ２メッセージの形態をとることもあり得る。
【００３６】
[0039]
セッション要求メッセージは、メッセージ及び／又は要求されたメディアセッションに関連するメタデータを含むこともあり得る。メタデータは、他の可能性の中でも特に、セッション要求メッセージに関連づけられた識別子、（電話番号、インターネットプロトコル（ＩＰ）アドレス、及び／又は一様なリソース識別子（ＵＲＩ）などの）要求されたメッセージ、ソース識別子及び／若しくは送信先識別子に関連づけられた識別子、並びに／又はこれらの任意の組合せの形態をとる（又は含む）こともあり得る。
【００３７】
[0040]
ステップ３０４では、ステップ３０２におけるセッション要求メッセージを受信することに呼応して、パーソナルモバイル装置１０４は、ユーザインタフェース２０８を通じて１つ以上の呼応答問合せを提示する。１つ以上の提示された呼応答問合せは、アクセサリ状態問合せを含む。
【００３８】
[0041]
図４は、少なくとも１つの実施形態による、呼応答問合せのユーザインタフェース提示を描写する。図示されるように、ユーザインタフェース２０８のタッチスクリーン４０６を通じてのユーザインタフェース提示４００は、呼通知（call notification）４０２及び呼応答問合せのセット４０４の提示を含む。呼応答問合せのセット４０４は、アクセサリ準備未完問合せ４０８と、呼受諾問合せ４１０と、呼拒否問合せ４１２とを含む。呼応答問合せのセット４０４が付加的な及び／又は様々な問合せを含むこともあり得る、ということに留意すべきである。
【００３９】
[0042]
図４は、ユーザインタフェース２０８のタッチスクリーン４０６を通じて提示されるような呼応答問合せのセット４０４を描写するが、当業者は、他の方法で呼応答問合せを提示することもあり得る、ということを理解するであろう。例えば、ユーザインタフェース２０８は、スピーカを含むこともあり得るし、呼応答問合せの提示は、（例えば、テキスト・トゥ・スピーチの変換機能を用いて）スピーカを通じて話された呼応答問合せを提供することを含むこともあり得る。
【００４０】
[0043]
ステップ３０６では、パーソナルモバイル装置１０４は、ユーザインタフェース２０８を通じてアクセサリ準備未完表示を受信する。受信されたアクセサリ準備未完表示は、アクセサリ状態問合せに関連づけられる。例えば、パーソナルモバイル装置１０４がユーザインタフェース２０８のディスプレイを通じて１つ以上の着呼応答問合せを表示している間に、アクセサリ準備未完表示が受信されてもよい。別の可能性として、アクセサリ準備未完表示は、ユーザインタフェース２０８のマイクロフォンを通じてそれぞれの呼応答問合せを可聴的に提示するパーソナルモバイル装置１０４の後に続いて受信されてもよい。アクセサリ準備未完表示は、タッチディスプレイ、マイクロフォン、及び／又はユーザインタフェース２０８の他の構成要素を通じて、受信されてもよい。
【００４１】
[0044]
ステップ３０８では、アクセサリ準備未完表示を受信することに呼応して、パーソナルモバイル装置１０４は、発呼装置１０８に対して要求肯定応答メッセージを送信する。要求肯定応答メッセージは、本明細書に記載されるか又は当業者に知られる他の例の中でも特に、ＳＩＰメッセージの形態をとることもあり得る。
【００４２】
[0045]
要求肯定応答メッセージは、ステップ３０２にて受信されたセッション要求メッセージに関連づけられる。例えば、要求肯定応答メッセージは、例として、受信されたセッション要求メッセージの識別及び／又は要求された暗号化オーディオセッションの識別を含むこともあり得る。当該関連づけは、他の方法で同様に表わされてもよい。
【００４３】
[0046]
アクセサリ準備未完表示を受信することに呼応して、パーソナルモバイル装置１０４は、また、例えば、後に確立する何らかの暗号化オーディオセッションとともに使用するために、発呼装置１０８との１つ以上の通信リンクを確立してもよい。１つ以上の通信リンクの確立は、例えば、発呼装置１０８との（ＲＴＰセッション、ＳＲＴＰセッション、ＺＲＴＰセッション、などの）メディアセッションを確立すること、但し、例えば、アクセサリ準備完了判定を行うまでメディアセッションを通じて発呼装置１０８とメディアを交換することを控えること、を含むこともあり得る。
【００４４】
[0047]
ステップ３１０にて、ステップ３０８での要求肯定応答メッセージの送信に続いて、但し暗号化オーディオセッションを確立する前に、パーソナルモバイル装置１０４は、アクセサリ準備完了判定を行う。
【００４５】
[0048]
アクセサリ準備完了判定を行うことは、ユーザインタフェース２０８を通じてアクセサリ準備完了表示を受信することを含むこともあり得る。例えば、ステップ３０６におけるアクセサリ準備未完表示を受信することに後続して、パーソナルモバイル装置１０４は、ユーザインタフェース２０８を通じてフォローアップアクセサリ状態問合せを提示してもよく、アクセサリ準備完了判定を行うことは、ユーザインタフェース２０８を通じて受信することを含むこともあり得、アクセサリ準備完了表示はフォローアップアクセサリ状態問合せに関連づけられる。
【００４６】
[0049]
更に又は代替え的に、アクセサリ準備完了判定を行うことは、通信リンクがアクセサリとともに確立されたことを判定することを含むこともあり得る。例えば、この通信リンクは、アクセサリとパーソナルモバイル装置と１０４の間のＢｌｕｅｔｏｏｔｈ（登録商標）リンク又は他の無線リンクを含むこともあり得る。別の実施形態において、通信リンクは、例えば、ヘッドホンジャック又はＵＳＢポートを通じてのアクセサリとパーソナルモバイル装置１０４と間の有線接続である。当業者は、通信リンクがアクセサリとともに確立されたことを判定するのは他の方法でも可能である、ということを理解するであろう。
【００４７】
[0050]
アクセサリ準備完了判定を行うことは、確立された通信リンクを通じてアクセサリ準備完了表示を受信することを更に含むこともあり得る。実施形態において、パーソナルモバイル装置１０４は、確立された通信リンクを通じて、２つの装置間の接続が成功裏に確立されたことを示すＢｌｕｅｔｏｏｔｈ（登録商標）メッセージをアクセサリから受信する。別の実施形態において、パーソナルモバイル装置１０４は、有線接続を通じて、それぞれの装置間の接続が確立されたことを示すメッセージをアクセサリから受信する。確立された通信リンクを通じてアクセサリ準備完了表示を受信することは、他の形態をとることもあり得る。
【００４８】
[0051]
アクセサリ準備完了判定を行うことは、アクセサリ準備完了表示をアクセサリから受信することを含むこともあり得る。アクセサリからアクセサリ準備完了表示を受信することは、アクセサリユーザインタフェースを通じてアクセサリ準備完了表示を受信することを含むこともあり得る。
【００４９】
[0052]
図５は、少なくとも１つの実施形態による、アクセサリを描写する。図示するように、アクセサリ５００は、例えば、タッチディスプレイ５０５と、プッシュボタン５１０と、マイクロフォン５１５とを含み、それらのうちのいずれも、パーソナルモバイル装置１０４のユーザインタフェース構成要素に関して記載したように機能する。アクセサリユーザインタフェースを通じてアクセサリ読取り表示を受信することは、アクセサリ準備完了確認がタッチディスプレイ５０５を通じてアクセサリによって取得されたという表示を受信することを含むこともあり得る。取得されたアクセサリ準備完了確認は、ユーザタッピングタッチディスプレイ５０５及び／又はタッチディスプレイに沿って指をスワイプすることに対応することもあり得る。ユーザは、また、アクセサリ準備完了表示を提供するためにプッシュボタン５１０を押すこともあり得る。実施形態において、アクセサリユーザインタフェースを通じてアクセサリ読取り表示を受信することは、アクセサリプッシュボタン５１０によって（例えば、確認はボタンをプッシュすることに対応する）、及び／又はマイクロフォン５１５を通じて（場合によると確認は単語又は句に対応する）、アクセサリ準備完了確認が取得されたという表示を受信することを含む。実施形態において、アクセサリ準備完了表示は、パーソナルモバイル装置１０４とアクセサリ５００との間の通信リンク５２０を通じて受信される。アクセサリユーザインタフェースを通じてアクセサリ準備完了表示を受信することは、当業者にとって明らかになる他の形態をとることもあり得る。
【００５０】
[0053]
ステップ３１２では、アクセサリ準備完了判定を行うことに呼応して、パーソナルモバイル装置１０４は、暗号化オーディオセッションを確立する。
【００５１】
[0054]
暗号化オーディオセッションの確立は、例えば、（例えば、ステップ３０８に関して記載されたように）発呼装置１０８とのメディアセッションを確立することと、メディアセッションを通じて発呼装置１０８と暗号化オーディオメディアを交換することとを含んでもよい。パーソナルモバイル装置１０４がアクセサリ準備完了判定を行う際に発呼装置１０８とのメディアセッションが既に確立されていれば、暗号化オーディオセッションの確立は、メディアセッションを通じて暗号化オーディオメディアの交換を始めることを含んでもよい。
【００５２】
[0055]
いくつかの実施形態において、パーソナルモバイル装置は、ステップ３０６で受信されたアクセサリ準備未完表示に加えて、着呼応答表示を受信してもよい。呼受諾問合せ４０２が選択されたという表示は、パーソナルモバイル装置１０４にセキュアな呼出しを直ちに確立させてもよい。当該実施形態において、ステップ３１０におけるアクセサリ準備完了判定を行うことは、呼受諾問合せ４０２が選択されたという表示を受信することを含むこともあり得る。呼拒否問合せ４０６が選択されたという表示を受信すると、別の可能性として、パーソナルモバイル装置１０４は、発呼装置１０８に対して要求拒否メッセージを送信してもよい。少なくとも１つの実施形態において、要求拒否メッセージは、多くの他の可能性の中でも特に、被呼者が安全でない場所にいる、混雑した場所にいる、及び／又はミーティング中である、という表示の形態をとる（又は含む）こともあり得る要求拒否理由表示を含む。例えば、被呼者が混雑した場所にいれば、混雑した場所の範囲内で人々が呼出しの当事者間の任意の会話も盗み聞きすることもあり得るので、セキュア化された通信が可能ではないかもしれない。被呼者がミーティング中であれば、他のミィーティングの出席者が会話を立ち聞きすることができるかもしれない。又は、誰かがそれを盗むことを試みるかもしれないので、被呼者は、丸見えの状態で被呼者アクセサリを持ちたくないかもしれない。
【００５３】
[0056]
機能及び構成要素が以上に特に組合せで記載されたが、当業者は、本開示の範囲及び精神から逸脱せずに、各機能又は構成要素を単独で又は他の機能及び構成要素との任意の組合せで用いることができる、ということを理解するであろう。
【図１】
0006784702.tif 000002
【図２】
0006784702.tif 000003
【図３】
0006784702.tif 000004
【図４】
0006784702.tif 000005
【図５】
0006784702.tif 000006